(57)【要約】【課題】レーザ光の照射位置を限定しなくとも精度良い真贋判定を可能にした真贋判定方法と真贋判定装置。【解決手段】回折格子からなる画素を２次元的に規則的に配置して絵柄を表現している記録媒体Ｍの真贋判定方法であり、記録媒体Ｍの複数のサンプリング位置に記録媒体Ｍの面積よりも小さい断面積のレーザ光６を順に照射して、各サンプリング位置に対応して得られる回折光パターン像を撮像手段５撮像し、得られた複数の回折光パターン像を重畳して重ね合わせて合成パターン像を作成し、得られた合成パターン像が予め用意しておいた判定基準に合致するか否かを判定することで、記録媒体Ｍが真正なものか贋のものかを判定する。【選択図】図１
2010089408.tif 000002
【特許請求の範囲】
【請求項１】
回折格子からなる画素を２次元的に規則的に配置して絵柄を表現している記録媒体の真贋判定方法において、前記記録媒体の複数のサンプリング位置に前記記録媒体の面積よりも小さい断面積のレーザ光を順に照射して、各サンプリング位置に対応して得られる回折光パターン像を撮像し、得られた複数の回折光パターン像を重畳して重ね合わせて合成パターン像を作成し、得られた合成パターン像が予め用意しておいた判定基準に合致するか否かを判定することで、前記記録媒体が真正なものか贋のものかを判定することを特徴とする回折格子画素からなる記録媒体の真贋判定方法。
【請求項２】
前記記録媒体の各サンプリング位置で回折された回折光パターン像をスクリーン上に入射させて、前記スクリーン上に映った回折光パターン像を撮像することを特徴とする請求項１記載の回折格子画素からなる記録媒体の真贋判定方法。
【請求項３】
回折格子からなる画素を２次元的に規則的に配置して絵柄を表現している判定対象の記録媒体を載置し、その面を所定経路に沿って２次元的に走査する記録媒体載置走査台と、前記記録媒体載置走査台上に載置された前記記録媒体に所定入射角で所定波長のレーザ光を照射するように配置されたレーザと、前記記録媒体で回折された回折光パターン像を入射させて映すスクリーンと、前記スクリーン上に映った回折光パターン像であって、前記記録媒体載置走査台の移動により選択された前記記録媒体の複数のサンプリング位置に対応して得られる回折光パターン像を順に撮像する撮像手段と、前記撮像手段で得られた複数の回折光パターン像を重畳して重ね合わせることで合成パターン像を作成する合成パターン像作成手段と、前記合成パターン像が予め用意しておいた判定基準に合致するか否かを判定する判定手段とを備えていることを特徴とする回折格子画素からなる記録媒体の真贋判定装置。
【請求項４】
前記合成パターン像作成手段から得られた画像を２値化する２値化手段を備え、前記判定手段は、前記２値化手段を経て２値化された画像が予め用意しておいた判定基準に合致するか否かを判定するものであることを特徴とする請求項３記載の回折格子画素からなる記録媒体の真贋判定装置。
【請求項５】
前記レーザからのレーザ光が前記記録媒体載置走査台上に載置された前記記録媒体に斜めに入射するように前記レーザが配置されていることを特徴とする請求項３又は４記載の回折格子画素からなる記録媒体の真贋判定装置。
【請求項６】
前記レーザからのレーザ光が前記記録媒体載置走査台上に載置された前記記録媒体に垂直に入射するように前記レーザが配置されていることを特徴とする請求項３又は４記載の回折格子画素からなる記録媒体の真贋判定装置。
【請求項７】
前記撮像手段は前記スクリーンに映った回折光パターン像を回折光入射側から撮像することを特徴とする請求項３から６の何れか１項記載の回折格子画素からなる記録媒体の真贋判定装置。
【請求項８】
前記撮像手段は前記スクリーンに映った回折光パターン像を回折光入射側と反対側から撮像することを特徴とする請求項３から６の何れか１項記載の回折格子画素からなる記録媒体の真贋判定装置。
【発明の詳細な説明】
【技術分野】
【０００１】
本発明は、回折格子画素からなる記録媒体の真贋判定方法及び真贋判定装置に関し、特に、精度良く真贋判定が可能な真贋判定方法と真贋判定装置に関するものである。
【背景技術】
【０００２】
従来、矩形あるいは円形の回折格子を規則的に２次元的に配置することで種々の絵柄を記録した記録媒体が知られている（特許文献１、２）。そのような記録媒体をセキュリティ用に用いることも行われている。
【０００３】
そのような回折格子画素からなる記録媒体の真贋判定方法として、そのような記録媒体に測定光束を投影し、記録媒体から回折された回折光のピーク強度、重心位置、その広がり幅等を許容値と比較することによって真贋を判定する方法が特許文献３で提案されている。
【特許文献１】特開平２−７２３１９号公報
【特許文献２】特開平７−１４６６３５号公報
【特許文献３】特開２００２−２８３７７５号公報
【発明の開示】
【発明が解決しようとする課題】
【０００４】
特許文献３で提案された真贋判定方法は、回折格子画素からなる記録媒体の所定の微小な領域に集束レーザ光を照射してその領域からの回折光を検出しようとするものであるが、同一のそのような記録媒体でもレーザ光の照射位置により回折光のパターン像が異なるため、記録媒体に対するレーザ光の照射位置を限定しないと、精度良い真贋判定は困難であった。
【０００５】
本発明は従来技術のこのような問題点に鑑みてなされたものであり、その目的は、回折格子画素からなる記録媒体の複数個所にレーザ光を照射し、得られた回折光のパターンを合成することで、レーザ光の照射位置を限定しなくとも精度良い真贋判定を可能にした真贋判定方法と真贋判定装置を提供することである。
【課題を解決するための手段】
【０００６】
上記目的を達成する本発明の回折格子画素からなる記録媒体の真贋判定方法は、回折格子からなる画素を２次元的に規則的に配置して絵柄を表現している記録媒体の真贋判定方法において、前記記録媒体の複数のサンプリング位置に前記記録媒体の面積よりも小さい断面積のレーザ光を順に照射して、各サンプリング位置に対応して得られる回折光パターン像を撮像し、得られた複数の回折光パターン像を重畳して重ね合わせて合成パターン像を作成し、得られた合成パターン像が予め用意しておいた判定基準に合致するか否かを判定することで、前記記録媒体が真正なものか贋のものかを判定することを特徴とする方法である。
【０００７】
この場合、前記記録媒体の各サンプリング位置で回折された回折光パターン像をスクリーン上に入射させて、前記スクリーン上に映った回折光パターン像を撮像することが望ましい。
【０００８】
本発明の回折格子画素からなる記録媒体の真贋判定装置は、回折格子からなる画素を２次元的に規則的に配置して絵柄を表現している判定対象の記録媒体を載置し、その面を所定経路に沿って２次元的に走査する記録媒体載置走査台と、前記記録媒体載置走査台上に
載置された前記記録媒体に所定入射角で所定波長のレーザ光を照射するように配置されたレーザと、前記記録媒体で回折された回折光パターン像を入射させて映すスクリーンと、前記スクリーン上に映った回折光パターン像であって、前記記録媒体載置走査台の移動により選択された前記記録媒体の複数のサンプリング位置に対応して得られる回折光パターン像を順に撮像する撮像手段と、前記撮像手段で得られた複数の回折光パターン像を重畳して重ね合わせることで合成パターン像を作成する合成パターン像作成手段と、前記合成パターン像が予め用意しておいた判定基準に合致するか否かを判定する判定手段とを備えていることを特徴とするものである。
【０００９】
この場合、前記合成パターン像作成手段から得られた画像を２値化する２値化手段を備え、前記判定手段は、前記２値化手段を経て２値化された画像が予め用意しておいた判定基準に合致するか否かを判定するものであるように構成することが望ましい。
【００１０】
また、前記レーザからのレーザ光が前記記録媒体載置走査台上に載置された前記記録媒体に斜めに入射するように前記レーザが配置されていても、垂直に入射するように前記レーザが配置されていてもよい。
【００１１】
また、前記撮像手段は前記スクリーンに映った回折光パターン像を回折光入射側から撮像するようにしても、回折光入射側と反対側から撮像するようにしてもよい。
【発明の効果】
【００１２】
本発明においては、回折格子からなる画素を２次元的に規則的に配置して絵柄を表現している記録媒体の複数のサンプリング点に対応して得られる回折光のパターン像を重畳して重ね合わせて得られる合成パターン像を真贋の判定に用いるので、その記録媒体へのレーザ光の照射位置を限定しなくとも精度良い真贋判定を容易に行うことができる。
【発明を実施するための最良の形態】
【００１３】
以下、本発明の回折格子画素からなる記録媒体の真贋判定方法及び真贋判定装置を実施例に基づいて説明する。
【００１４】
まず、回折格子画素からなる記録媒体について説明する。図９は回折格子画素からなる記録媒体を説明するための図であり、図９（ａ）に示すような５つの回折格子画素Ｐ１〜Ｐ５を用意する。この場合、回折格子画素Ｐ１〜Ｐ５を構成する回折格子の水平線からの格子線配置角度をそれぞれ０°、３０°、４５°、６０°、９０°とする。この回折格子画素Ｐ１〜Ｐ５を図９（ｂ）に示すように配置する。図９（ｂ）の画素配置は、縦方向にピッチＳｖ、横方向にピッチＳｈで碁盤の目状に並んだ２次元規則的な配置である。図９（ｂ）のように回折格子画素Ｐ１〜Ｐ５を配置してなる記録媒体を特定の観察位置で、例えば通常の照明環境下において記録媒体を垂直に立てて保持し、これを水平方向から観察すれば、図９（ｃ）に示すような絵柄「Ａ」が観察できる記録媒体Ｍが得られる。
【００１５】
このような記録媒体Ｍの全領域をカバーするような太いレーザ光を当てると、記録媒体Ｍから離れた遠方位置ではその記録媒体Ｍ特有の回折光のパターンが得られるので、そのパターンあるいはそのパターン中の回折光（斑点）の数、斑点同士の距離等が判定基準に合致するか否かを判定することで、その記録媒体Ｍが真正なものか贋のものかを判定することができる。
【００１６】
ところが、記録媒体Ｍに照射するレーザ光が細く記録媒体Ｍの局所領域にしか入射しない場合、レーザ光の照射位置により回折光のパターンが異なるため（例えば、図９（ｂ）の回折格子画素Ｐ１が多い局所領域が照射位置の場合と、回折格子画素Ｐ５が多い局所領域が照射位置の場合とでは、回折光のパターンが異なる。）、記録媒体に対するレーザ光
の照射位置を限定しないと、精度良い真贋判定は困難であった。
【００１７】
そこで、本発明においては、記録媒体Ｍの全領域を代表する複数のサンプリング点（局所領域）に細いレーザ光を順に照射して、各サンプリング点に対応して得られる回折光のパターン像を撮像し、この各サンプリング点に対応して得られた回折光のパターン像を重畳して重ね合わせて合成パターン像を作成し、その合成パターン像と判定基準のパターン像に合致するか否か、あるいは、その合成パターン像中の回折光（斑点）の数、斑点同士の距離等が判定基準に合致するか否かを判定することで、その記録媒体Ｍが真正なものか贋のものかを判定する。
【００１８】
このように記録媒体Ｍの複数のサンプリング点に対応して得られる回折光のパターン像を重畳して重ね合わせて得られる合成パターン像を真贋の判定に用いることで、記録媒体Ｍへのレーザ光の照射位置を限定しなくとも精度良い真贋判定を容易に行うことができる。
【００１９】
以下、本発明に基づく真贋判定装置を実施例に基づいて説明する。
【００２０】
図１〜図３は本発明に基づく真贋判定装置の１実施例を説明するための図であり、真贋判定装置本体１０は、図１に示すように、読み取り開口２を設けたブラックボックス１を備え、その中に読み取り開口２に向けてレーザ光６を照射するレーザ３を備えており、ブラックボックス１の外側であって読み取り開口２に面した位置には、記録媒体Ｍを載置して、記録媒体Ｍを所定経路に沿って２次元的に走査する記録媒体載置走査台９を備えており、読み取り開口２を挟んでブラックボックス１中のレーザ３と反対側には、記録媒体載置走査台９上に載置された記録媒体Ｍからの回折光７が入射するように配置されたスクリーン４を備えており、また、スクリーン４に映った回折光７の像を撮像する位置に配置されたＣＣＤカメラ５をブラックボックス１中に備えてなる。
【００２１】
このような真贋判定装置本体１０において、レーザ３から照射されたレーザ光６は、読み取り開口２に面し、記録媒体載置走査台９上に載置された回折格子画素からなる記録媒体Ｍに斜めに入射し、そこで正反射方向に回折された各回折光がスクリーン４に入射して回折光のパターン像を映す。その回折光のパターン像はスクリーン４に面して配置されたＣＣＤカメラ５で撮像される。
【００２２】
そして、ＣＣＤカメラ５で撮像された画像は、図２に示すように、ケーブル１１を経てパソコン２０中に取り込まれる。
【００２３】
パソコン２０は記録媒体載置走査台９にケーブル１２を経て走査信号を送ると共に、ケーブル１１を経てＣＣＤカメラ５に撮像信号を送り、また、パソコン２０中では図３に示したような画像処理が行われ、回折格子画素からなる記録媒体Ｍの真偽が判定される。このパソコン２０中での画像処理を図３に基づいて説明する。
【００２４】
まず、ステップＳＴ１で、記録媒体載置走査台９の走査とＣＣＤカメラ５の撮像とを連動させて、回折格子画素からなる記録媒体Ｍ上の複数のサンプリング位置からの回折光７がスクリーン４に入射してそこへ映った回折パターン像をＣＣＤカメラ５を用いて撮像する。
【００２５】
次に、ステップＳＴ２で、撮像された複数の回折パターン像を重ね合わせて合成画像を作成する。この際、合成画像の輝度レベル調整も行う。
【００２６】
次に、ステップＳＴ３で、得られた合成画像画像を白黒画像に変換する。ＣＣＤカメラ
５がカラーカメラでなく、モノクロカメラの場合は、ステップＳＴ３は必要ない。また、カラー画像の場合でも、そのままで輝度成分に着目して処理を行う場合には、同様にステップＳＴ３は必要ない。
【００２７】
次に、ステップＳＴ４で、得られた画像にローパスフィルタをかけることで、高周波ノイズを除去する。
【００２８】
次に、ステップＳＴ５で、高周波ノイズが除去された画像にハイパスフィルタをかけることで、記録媒体Ｍからの０次回折光の像をカットすることができる。
【００２９】
次いで、ステップＳＴ６で、ハイパスフィルタで０次回折光をカットした画像を白黒の２値化画像に変換する。
【００３０】
そして、ステップＳＴ７で、その白黒の２値化画像を予め定めてある判定基準に合致するか否かを判定する。ここでは、その例として、２値化画像における回折格子画素の周期構造に基づく回折光（斑点）の数、斑点同士の距離を定めておき、実際に得られた画像の回折光（斑点）の数、斑点同士の距離がその判定基準に合致するか否かを判定することで、その記録媒体Ｍが真正なものか贋のものかを判定する。なお判定基準は、その他に基準画像との相関をとる等の種々の方式をとることができる。
【００３１】
図４に記録媒体Ｍ上のレーザ光６の相対的な軌跡の例と、複数の異なるサンプリング位置＃０１〜＃１６の例を示す。そして、図５に上記ステップＳＴ１でそれぞれのサンプリング位置＃０１〜＃１６から得られた回折パターン像の例を示す。また、図６にそれらサンプリング位置＃０１〜＃１６から得られた回折パターン像を、上記ステップＳＴ２で重ね合わせて得られた合成画像の例を示す。
【００３２】
ところで、真贋判定装置本体１０に関しては、図１の実施例のように、記録媒体Ｍに斜めに入射するのではなく、垂直に入射するようにしてもよい。その場合の実施例の構成を図７に示す。この場合には、読み取り開口２に面してレーザ３を配置し、レーザ３の読み取り開口２側にレーザ光６に垂直にスクリーン４を配置し、レーザ３からのレーザ光６が通る位置に穴８を開けたおき、回折格子画素からなる記録媒体Ｍに垂直にレーザ光６が入射するようにする。また、スクリーン４上の回折光７の像を撮像するＣＣＤカメラ５を読み取り開口２の近傍に配置しておく。こうすると、記録媒体Ｍから垂直方向に回折された０次回折光はスクリーン４に開けた穴８に戻り、また、その穴８の周囲に１次以上の回折光が入射する。その回折光パターン像をスクリーン４に面して配置してＣＣＤカメラ５で撮像する。ＣＣＤカメラ５で撮像された画像の処理は図３と同様である。
【００３３】
また、スクリーン４に映った回折光７の像をスクリーン４の裏面から撮像するようにしてもよい。図８はその実施例の構成を示す断面図（ａ）と斜視図（ｂ）である。この例の場合は、読み取り開口２に面してレーザ３を配置し、レーザ３の読み取り開口２側にレーザ光６に垂直にスクリーン４を配置し、レーザ３からのレーザ光６が通る位置に穴８を開けたおき、また、ＣＣＤカメラ５はスクリーン４の裏面側のレーザ３の近傍に配置しておく。こうすると、記録媒体Ｍから垂直方向に回折された０次回折光はスクリーン４に開けた穴８に戻り、また、その穴８の周囲に１次以上の回折光が入射する。その回折光パターン像の像はスクリーン４の裏面側に配置したＣＣＤカメラ５で撮像する。ＣＣＤカメラ５で撮像された画像の処理は図３と同様である。
【００３４】
以上のように、本発明において、回折格子画素からなる記録媒体Ｍで回折された回折光７の像を取り込む真贋判定装置本体１０の構成として、判定対象の記録媒体Ｍを載置し、その面を所定経路に沿って２次元的に走査する記録媒体載置走査台９と、その記録媒体載
置走査台９の移動により選択された記録媒体Ｍの複数のサンプリング位置に対応して得られる回折光パターン像を順に撮像するＣＣＤカメラ５と有し、その複数の回折光パターン像を重畳して重ね合わせて合成パターン像を作成するようにしているため、記録媒体Ｍへのレーザ光の照射位置を限定しなくとも精度良い真贋判定を容易に行うことができる。
【００３５】
以上、本発明の回折格子画素からなる記録媒体の真贋判定方法及び真贋判定装置を実施例に基づいて説明してきたが、本発明はこれら実施例に限定されず種々の変形が可能である。
【図面の簡単な説明】
【００３６】
【図１】本発明の１実施例の真贋判定装置の真贋判定装置本体の断面図である。
【図２】本発明の１実施例の真贋判定装置の全体図である。
【図３】本発明の１実施例の真贋判定装置において行われる画像処理を示すフロー図である。
【図４】記録媒体上のレーザ光の相対的な軌跡の例と複数の異なるサンプリング位置の例を示す図である。
【図５】複数のサンプリング位置から得られた回折パターン像の例を示す図である。
【図６】複数のサンプリング位置から得られた回折パターン像を重ね合わせて得られた合成画像の例を示す図である。
【図７】本発明の別の実施例の真贋判定装置の真贋判定装置本体の断面図である。
【図８】本発明のさらに別の実施例の真贋判定装置の真贋判定装置本体の断面図（ａ）と斜視図（ｂ）である。
【図９】回折格子画素からなる記録媒体を説明するための図である。
【符号の説明】
【００３７】
Ｍ…回折格子画素からなる記録媒体
１…ブラックボックス
２…読み取り開口
３…レーザ
４…スクリーン
５…ＣＣＤカメラ
６…レーザ光
７…回折光
８…スクリーンの穴
９…記録媒体載置走査台
１０…真贋判定装置本体
１１、１２…ケーブル
２０…パソコン
【図１】
2010089408.tif 000003
【図２】
2010089408.tif 000004
【図３】
2010089408.tif 000005
【図４】
2010089408.tif 000006
【図７】
2010089408.tif 000007
【図８】
2010089408.tif 000008
【図９】
2010089408.tif 000009
【図５】
2010089408.tif 000010
【図６】
2010089408.tif 000011